(57)【要約】【課題】電線とこれに接続されたコネクタとの隙間を覆う保護構造を、耐熱性及び耐久性を損なうことなく簡易な工程により実現できること。【解決手段】コネクタ付電線１は、絶縁電線９と、絶縁電線９の端部に接続されたコネクタ８と、コネクタ８と絶縁電線９との間の隙間を覆う被覆部材７と、を備える。被覆部材７は、テープ状の紫外線硬化樹脂からなる基体と粘着剤との２層構造を有する紫外線硬化粘着テープが、コネクタ８から絶縁電線９に亘る部分に粘着剤を内側にして巻き付けられて硬化した部材からなる。【選択図】図１
2013187004.tif 000002
【特許請求の範囲】
【請求項１】
電線と、
前記電線の端部に接続されたコネクタと、
テープ状の紫外線硬化樹脂からなる基体と粘着剤との２層構造を有する紫外線硬化粘着テープが前記コネクタから前記電線に亘る部分に前記粘着剤を内側にして巻き付けられて硬化した部材からなり、前記コネクタと前記電線との間の隙間を覆う被覆部材と、を備えるコネクタ付電線。
【請求項２】
前記被覆部材と前記電線との間に充填された弾性を有する封止剤をさらに備える、請求項１に記載のコネクタ付電線。
【発明の詳細な説明】
【技術分野】
【０００１】
本発明は、電線及びその端部に接続されたコネクタを有するコネクタ付電線に関する。
【背景技術】
【０００２】
自動車などの車両に搭載されるワイヤハーネスにおいて、電線とその端部に接続されたコネクタとの隙間への異物の侵入を防ぐ防塵構造又は液体の浸入を防ぐ防水構造などの保護構造が採用されることが多い。例えば、特許文献１に示されるコネクタ付電線は、コネクタから電線に亘る部分を覆う熱収縮チューブを備え、この熱収縮チューブが、電線とコネクタとの隙間を覆うことによって異物の侵入を防ぐ。
【先行技術文献】
【特許文献】
【０００３】
【特許文献１】特開２０００−２０８１７４号公報
【発明の概要】
【発明が解決しようとする課題】
【０００４】
特許文献１に示される保護構造は、通常、コネクタが接続される前の電線を熱収縮チューブに先通しし、収縮前のチューブが電線から抜けないようにしつつ電線にコネクタを接続する工程を必要とする。しかしながら、そのような工程よりも簡易な工程によって実現できる保護構造が求められている。
【０００５】
また、仮に、電線にコネクタが接続された後に、コネクタ及び電線が熱収縮チューブに通される場合、角張ったコネクタを熱収縮チューブに通す作業が難しく、作業効率が悪化するという問題が生じる。
【０００６】
また、コネクタ付電線において、粘着テープが、防塵のためにコネクタから電線に亘る部分に巻き付けられることが考えられる。しかしながら、一般的な粘着テープは、コネクタの防塵構造として要求される耐熱性及び耐久性を十分に満たさない。
【０００７】
本発明は、電線とこれに接続されたコネクタとの隙間を覆う保護構造を、耐熱性及び耐久性を損なうことなく簡易な工程により実現できることを目的とする。
【課題を解決するための手段】
【０００８】
本発明の第１態様に係るコネクタ付電線は、以下に示す各構成要素を備える。第１の構成要素は、電線と、前記電線の端部に接続されたコネクタと、前記コネクタと前記電線との間の隙間を覆う被覆部材と、を備える。前記被覆部材は、テープ状の紫外線硬化樹脂からなる基体と粘着剤との２層構造を有する紫外線硬化粘着テープが前記コネクタから前記電線に亘る部分に前記粘着剤を内側にして巻き付けられて硬化した部材からなる。
【０００９】
本発明の第２態様に係るコネクタ付電線は、第１態様に係るコネクタ付電線の一態様である。第２態様に係るコネクタ付電線は、前記被覆部材と前記電線との間に充填された弾性を有する封止剤をさらに備える。
【発明の効果】
【００１０】
本発明によれば、電線とこれに接続されたコネクタとの隙間を覆う被覆部材は、紫外線硬化粘着テープをコネクタ及び電線に巻き付け、紫外光を紫外線硬化粘着テープに照射する、という簡易な工程により形成される。即ち、先通しされたチューブが電線から抜けないようにしつつ電線にコネクタを接続する工程は不要である。また、被覆部材を構成する紫外線硬化樹脂は、電線とコネクタとの隙間を覆う防塵構造として要求される耐熱性及び耐久性を十分に満たす。
【００１１】
また、本発明に係るコネクタ付電線において、弾性を有する封止剤が、被覆部材と電線との間に充填されていれば、被覆部材及び封止剤が、防塵機能に加え防水機能も果たす。
【図面の簡単な説明】
【００１２】
【図１】本発明の第１実施形態に係るコネクタ付電線１の側面図である。
【図２】コネクタ付電線１において採用される紫外線硬化粘着テープの側面図である。
【図３】コネクタ付電線１の製造工程におけるテープ巻き付け工程の斜視図である。
【図４】本発明の第２実施形態に係るコネクタ付電線１Ａの断面図である。
【発明を実施するための形態】
【００１３】
以下、添付の図面を参照しながら、本発明の実施形態について説明する。以下の実施形態は、本発明を具体化した一例であり、本発明の技術的範囲を限定する事例ではない。
【００１４】
＜第１実施形態＞
まず、図１〜３を参照しつつ、本発明の第１実施形態に係るコネクタ付電線１の構成について説明する。図１に示されるように、コネクタ付電線１は、複数の絶縁電線９と、コネクタ８と、被覆部材７とを備えている。
【００１５】
絶縁電線９は、銅又はアルミニウムなどの金属を主成分とする導体と、その導体の周囲を覆う絶縁被覆とにより構成されている。絶縁電線９の端部における芯線には、端子９１が接続されている。
【００１６】
コネクタ８は、非導電性の樹脂部材からなり、複数の絶縁電線９の端部に接続された部材である。コネクタ８は、複数の絶縁電線９の端部を一定の位置関係に保持している。
【００１７】
コネクタ８が不図示の相手側コネクタと接続されることにより、コネクタ８に保持された複数の絶縁電線９の端部の端子９１は、相手側コネクタに保持された複数の相手側電線の端子と電気的に接続される。
【００１８】
被覆部材７は、コネクタ８と複数の絶縁電線９との間の隙間を覆う部材である。この被覆部材７は、図２に示されるような紫外線硬化粘着テープ７０が硬化した部材である。紫外線硬化粘着テープ７０は、柔軟性を有するテープ状の紫外線硬化樹脂からなる基体７１と粘着剤７２との２層構造を有する。
【００１９】
テープ状の基体７１の材料である紫外線硬化樹脂は、紫外線の光エネルギーに反応して柔軟性を有する状態から硬化する合成樹脂である。そのような合成樹脂（紫外線硬化樹脂）は、各種考えられるが、例えば、アクリルレート、不飽和ポリエステル、エポキシ、オキセタン又はビニルエーテルなどを主成分とする樹脂である。
【００２０】
粘着剤７２は、例えば、アクリル系粘着剤、ゴム系粘着剤又はシリコーン系粘着剤などである。
【００２１】
図３に示されるように、紫外線硬化粘着テープ７０は、コネクタ８から絶縁電線９に亘る部分に粘着剤７２を内側にして巻き付けられることにより、コネクタ８と絶縁電線９との隙間を覆う形状に形成される。さらに、コネクタ８及び絶縁電線９に巻き付けられた紫外線硬化粘着テープ７０は、紫外光が照射されることによって基体７１の部分が硬化する。これにより、コネクタ８と絶縁電線９との隙間を覆う形状の基体７１が硬化した部材と、その部材とコネクタ８及び絶縁電線９とを接着する粘着剤７２とからなる被覆部材７が形成される。
【００２２】
以上に示したように、被覆部材７は、紫外線硬化粘着テープ７０がコネクタ８から絶縁電線９に亘る部分に粘着剤７２を内側にして巻き付けられて硬化した部材からなる。被覆部材７は、粘着剤７２の粘着力によってコネクタ８から絶縁電線９に亘る部分に保持される。
【００２３】
また、図３に示されるように、通常、コネクタ８には、その一部に突出部８１が形成されている。紫外線硬化粘着テープ７０が、コネクタ８における突出部８１が形成された領域に巻き付けられることにより、被覆部材７の内側面には、コネクタ８の突出部８１が嵌り込んだ窪みが形成される。この場合、被覆部材７は、その内側面の窪みがコネクタ８の突出部８１に引っ掛かることにより、コネクタ８から絶縁電線９に亘る部分により確実に保持される。
【００２４】
＜効果＞
コネクタ付電線１において、絶縁電線９とこれに接続されたコネクタ８との隙間を覆う被覆部材７は、紫外線硬化粘着テープ７０をコネクタ８及び絶縁電線９に巻き付け、紫外光を紫外線硬化粘着テープ７０に照射する、という簡易な工程により形成される。即ち、先通しされたチューブが絶縁電線９から抜けないようにしつつ絶縁電線９にコネクタ８を接続する工程は不要である。また、被覆部材７を構成する紫外線硬化樹脂は、絶縁電線９とコネクタ８との隙間を覆う防塵構造として要求される耐熱性及び耐久性を十分に満たす。
【００２５】
＜第２実施形態＞
次に、図４を参照しつつ、本発明の第２実施形態に係るコネクタ付電線１Ａについて説明する。コネクタ付電線１Ａは、図１に示されたコネクタ付電線１と比較して、一部の構成要素が追加された構成を有している。
【００２６】
図４は、コネクタ付電線１Ａにおける被覆部材７が形成された部分の断面図である。図４において、図１に示される構成要素と同じ構成要素は、同じ参照符号が付されている。以下、コネクタ付電線１Ａにおけるコネクタ付電線１と異なる点についてのみ説明する。
【００２７】
コネクタ付電線１Ａは、絶縁電線９、コネクタ８、被覆部材７及び封止剤６を備えている。コネクタ付電線１Ａにおける絶縁電線９、コネクタ８及び被覆部材７は、コネクタ付電線１における絶縁電線９、コネクタ８及び被覆部材７と同じ構造を有する。
【００２８】
封止剤６は、被覆部材７と絶縁電線９との間及び複数の絶縁電線９相互間に充填された弾性を有する止水剤である。封止剤６は、例えばシリコーン樹脂などの弾性を有する樹脂材料からなる。
【００２９】
封止剤６は、紫外線硬化粘着テープ７０が巻き付けられる前に、絶縁電線９とその端部に接続されたコネクタとの隙間、及び複数の絶縁電線９相互間を埋めるように形成される。例えば、封止剤６は、流動性を有する状態で塗布された封止剤が加熱又は乾燥などにより固化して形成される。
【００３０】
紫外線硬化粘着テープ７０は、コネクタ８から絶縁電線９に亘る部分に、封止剤６の上から巻き付けられる。これにより、封止剤６は、被覆部材７と絶縁電線９との間及び複数の絶縁電線９相互間に充填された状態となる。
【００３１】
コネクタ付電線１Ａが採用されることにより、コネクタ付電線１が採用される場合と同様の効果が得られる。さらに、コネクタ付電線１Ａにおいては、被覆部材７及び封止剤６が、防塵機能に加え防水機能も果たす。
【符号の説明】
【００３２】
１，１Ａ  コネクタ付電線
６  封止剤
７  被覆部材
８  コネクタ
９  絶縁電線
７０  紫外線硬化粘着テープ
７１  基体
７２  粘着剤
８１  突出部
９１  端子
【図１】
2013187004.tif 000003
【図２】
2013187004.tif 000004
【図３】
2013187004.tif 000005
【図４】
2013187004.tif 000006